(57)【要約】【課題】  外力を受けた場合の操作部の変形を保護し、ロック解除時の操作性を向上させること。【解決手段】  相手側コネクタと接続した状態で相手側コネクタにロックするロック機構を備え、コンタクト１１を保持したインシュレータ１３とを有し、該インシュレータ１３はロック機構を収容した収容部１５を有し、前記ロック機構は本体部２１と、該本体部２１から延設しているロック部２３と、前記ロック部２１を付勢しているバネ部２５と、前記ロック部２３の解除を行う操作部２７とを有し、前記収容部１５は前記バネ２５部と前記操作部２７を覆うカバー部１５ａとを有している。【選択図】  図１
2005267970.tif 000002
【特許請求の範囲】
【請求項１】
相手側コネクタと接続しロックするロック機構を備えているコネクタにおいて、
導電性のコンタクトと、該コンタクトを保持したインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタと係合する係合方向に常時付勢しているバネ部と、該バネ部と同一方向に延設されて前記ロック部の解除を行う操作部とを有し、前記収容部は前記バネ部と前記操作部の少なくとも一部を覆うカバー部を有していることを特徴とするコネクタ。
【請求項２】
請求項１記載のコネクタにおいて、前記収容部は、当接部を有し、前記操作部は、前記操作部を操作した際に前記当接部に当接する被当接部を有していることを特徴とするコネクタ。
【請求項３】
請求項１又は２記載のコネクタにおいて、前記ロック機構は前記収容部に設けた回転軸と、前記回転軸と係合するように前記本体部に設けた軸部とをさらに有し、前記ロック機構を前記収容部に収容することによって前記回転軸と前記軸部とが係合しており、前記ロック機構が前記インシュレータに回転自在に保持されることを特徴とするコネクタ。
【請求項４】
請求項１又は２記載のコネクタにおいて、導電性のシェルをさらに有し、前記ロック機構は、該シェルに設けた回転軸と、前記回転軸と係合するように前記本体部に設けた軸部とを有し、前記シェルを前記インシュレータに組み立てた状態で前記回転軸と前記軸部とが係合しており、前記ロック機構が前記インシュレータに回転自在に保持されていることを特徴とするコネクタ。
【発明の詳細な説明】
【技術分野】
【０００１】
本発明は、相手側コネクタと接続したときに相手側コネクタとの接続をロックするロック機構を備えているコネクタに関する。
【背景技術】
【０００２】
先行技術におけるコネクタは、カバーインシュレータのロックスプリング収容部に収容したロックスプリング部材が、カバーインシュレータの前端面上へ延びている係合部と、係合部を相手側コネクタへ付勢し第１板部から第１板部上へ延びているバネ部とを有しているコネクタのロック装置がある（例えば、特許文献１を参照）。
【０００３】
【特許文献１】特開２００２−３６７７２５号公報
【発明の開示】
【発明が解決しようとする課題】
【０００４】
特許文献１に開示されているコネクタでは、ロックスプリング部材の後方端部と操作部の全体とが露出しているため、接合時及び反接合方向からの外力（あおりを含む）によっては、ロック装置が動作不良になり、接合不能が発生する。
【０００５】
また、操作部は、接合時に手指などで保持する面積が少なく、作業性に劣るという問題がある。
【０００６】
さらに、ロックスプリング部材を可動する際の中心軸は、別体の軸ピンを用いているので、短尺による組み込み難さや、カバーインシュレータによる軸形成においても、開口面積が多くなりロックスプリング部材の反可動方向への保護が不十分の場合、同様にロック装置の動作不良になり、接合、係止不能が発生するという問題がある。
【課題を解決するための手段】
【０００７】
本発明は、相手側コネクタと接続しロックするロック機構を備えているコネクタにおいて、導電性のコンタクトと、該コンタクトを保持したインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタと係合する係合方向に常時付勢しているバネ部と、該バネ部と同一方向に延設されて前記ロック部の解除を行う操作部とを有し、前記収容部は前記バネ部と前記操作部の少なくとも一部を覆うカバー部を有していることを特徴とすることを最も主要な特徴とする。
【発明の効果】
【０００８】
操作部の自由端部はバネ部側に曲げられており、ロックを解除する操作状態で操作部の自由端部の先端がインシュレータの当接部と当接するので、バネ部の過剰変位による変形を防ぐことができる。
【０００９】
また、インシュレータはロック機構を上下、接合方向の３方向を覆っているので、操作部の操作方向以外の外力からロック機構を保護することができる。
【００１０】
さらに、ロック機構における回転軸はシェルと一体化して形成することで、組み立て容易となり、無理な抜き加重で伝達する回転軸も金属材となり、高い係合力を提供できる。
【００１１】
したがって、コネクタは、各部品や装置の高密度実装を保ちながら、外力を受けた場合の操作部の変形を保護することができ、ロック解除時の操作性を向上させることができる。
【発明を実施するための最良の形態】
【００１２】
本発明では、相手側コネクタと接続しロックするロック機構を備えているコネクタにおいて、導電性のコンタクトと、該コンタクトを保持したインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタとの係合方向に常時付勢しているバネ部と、該バネ部と同一方向に延設されて前記ロック部の解除を行う操作部とを有し、前記収容部は前記バネ部と前記操作部の少なくとも一部を覆うカバー部を有していることによりコネクタを実現した。
【実施例１】
【００１３】
図１は本発明の実施例１におけるコネクタを示している。なお、図１に示したコネクタではロックが解除されている状態を示している。
【００１４】
図１を参照して、コネクタは、導電性の複数のコンタクト１１と、コンタクト１１を保持しているインシュレータ１３と、インシュレータ１３の長手方向における両側に備えられている一対のロック機構とを有している。
【００１５】
ロック機構は、図示しない相手側コネクタと接続した状態で相手側コネクタに接続した後に、ロックする機能を果たす部分である。インシュレータ１３の長手方向には、複数のコンタクトが所定間隔もって並列されている。インシュレータ１３の長手方向の両側には、ロック機構を収容している収容部１５が形成されている。
【００１６】
図２乃至図４は、収容部１５に設けられているロック機構を示している。なお、図２はロック状態を示している。
【００１７】
図２乃至図４を参照して、ロック機構は、本体部２１と、本体部２１の一方から延設しているロック部２３と、本体部２１の他方から延設されかつロック部２３を相手側コネクタ（図示せず）との係合方向に常時付勢してロック部２３のロック解除後に正規位置まで戻すバネ部２５と、バネ部２５と同一方向に延設されてロック部２３によって相手側コネクタとの係合、解除を行う操作部２７とを有している。
【００１８】
ロック部２３、バネ部２５、及び操作部２７は、これらが一体になってロックレバーを構成している。ロック部２３の先端部には、鍵状のフック部２３ａが形成されている。フック部２３ａは、相手側コネクタにコネクタが嵌合したときに，相手側コネクタの相手係合部（図示せず）に係合する部分である。
【００１９】
操作部２７の自由端部２７ａは、バネ部２５のＵ字部分に沿って曲げられている形状でとなっている。操作部２７の自由端部２７ａは、ロック状態、解除に関係なく、外部のカバー部１５ａに覆われ露出していない構造となっている。
【００２０】
バネ部２５は、略Ｕ字状に形成されており、バネ部２５の一端が本体部２１に接続されている。バネ部２５は、操作部２７の操作を滑らかにしかつ反接合、接続方向（嵌合方向）からのバネ部２５への負荷からも保護できる構造となっている。
【００２１】
コネクタを相手側コネクタと嵌合する際には、図２に示したように嵌合方向においてロック部２３がインシュレータ１３によって覆われており直接触れないようになっている。バネ部２５の自由端部２５ａは、収容部１５の壁面に接触しており、バネ部２５の過剰変位による変形を防ぐ役目を果たす。
【００２２】
また、インシュレータ１３は、上下、接続方向の３方向を覆い操作部２７の操作方向以外の外力から保護する形状となっている。収容部１５は、バネ部２５と操作部２７の少なくとも一部を覆うカバー部１５ａと、インシュレータ１３の壁面である当接部１５ｂとを有している。操作部２７の自由端部２７ａにおける先端は、操作部２７を操作した際に当接部１５ｂに当接する被当接部２７ｃとなっている。
【００２３】
ロック機構は、収容部１５に設けた回転軸３１と、この回転軸３１と係合するように本体部２１に設けられている孔状の軸部２１ａとをさらに有している。ロック機構を収容部１５に収容することによって回転軸３１と、この回転軸３１を係合する軸部２１ａとが係合しており、ロック機構がインシュレータ１３に回転自在に保持される。
【００２４】
図５は、ロック機構にロックされた状態を示している。図６は、ロック機構を解除した状態を示している。
【００２５】
図５に示した状態において、操作部２７は、カバー部１５ａから外向きに突き出しており、操作部２７をカバー部１５ａ側へ押し込むと、図６に示した状態となる。このとき、ロック状態が解除される。
【実施例２】
【００２６】
図７は、図１に示したロック機構の実施例２を示している。なお、実施例１と同じ部分には同じ符号を付して説明を省略する。
【００２７】
図７を参照して、操作部２７の自由端部２７ａには、樹脂材４１が被覆されている。なお、操作部２７の自由端部２７ａには、樹脂材に変えて熱収縮チューブを被覆するようにしてもよい。
【実施例３】
【００２８】
図８は、図１に示したロック機構の実施例３を示している。なお、実施例１と同じ部分には同じ符号を付して説明を省略する。
【００２９】
図８を参照して、ロック機構における本体部２１には回転軸４３が形成され、インシュレータ１３に回転軸４３と係合する孔状の軸部を形成している。回転軸４３は、軸部に係合することによってロック部２３が回動自在となる。
【実施例４】
【００３０】
図９及び図１０は、図１に示したロック機構の実施例４を示している。なお、実施例１と同じ部分には同じ符号を付して説明を省略する。
【００３１】
図９及び図１０を参照して、コネクタは、グランドを行うための導電性のシェル（たとえば、金属製のシェル）５１をさらに有している。シェル５１には、回転軸５３を設け、本体部２１に回転軸５３と係合する孔状の軸部３１ａを形成している。
【００３２】
このように構成すると、シェル５１を収容部１５に組み立てた状態では、回転軸５３と軸部３１ａとが係合し、ロック機構がインシュレータ１３に回転自在に保持される。
【実施例５】
【００３３】
図１１は、図１に示したロック機構の実施例５を示している。なお、実施例１と同じ部分には同じ符号を付して説明を省略する。
【００３４】
図１１を参照して、本体部２１には、一対のバネ部５５，５６が接続されている。一対のバネ部５５，５６は間隔をもって互いに対向している。
【産業上の利用可能性】
【００３５】
本発明のコネクタは、相手側コネクタとケーブルとを接続し、相手側コネクタと接続した際の抜け止めを防止することが必要な電子・電気機器などのコネクタに適用される。
【図面の簡単な説明】
【００３６】
【図１】本発明に係るコネクタを示す平面図である。
【図２】図１に示したカバー部の一部を断面してロック機構を示した断面図である。
【図３】図１に示したカバー部の一部を断面してロック機構を示した斜視図である。
【図４】図１に示したカバー部を除いたロック機構を示す斜視図である。
【図５】図１に示したロック機構のロックが解除された状態を示す斜視図である。
【図６】図１に示したロック機構のロック状態示す斜視図である。
【図７】図１に示したロック機構の実施例２を示す斜視図である。
【図８】図１に示したロック機構の実施例３を示す斜視図である。
【図９】図１に示したロック機構の実施例４を示す分解斜視図である。
【図１０】図９に示したロック機構のカバー部を断面して示した斜視図である。
【図１１】図１に示したロック機構の実施例５を示す斜視図である。
【符号の説明】
【００３７】
１１    コンタクト
１３    インシュレータ
１５    収容部
１５ａ    カバー部
１５ｂ    当接部
２１    本体部
２１ａ,３１ａ    軸部
２３    ロック部
２５,５５，５６    バネ部
２５ａ    バネ部の自由端部
２７    操作部
２７ａ    操作部の自由端部
２７ｃ    被当接部
３１,４３,５３    回転軸
４１    樹脂材
５１    シェル
【図１】
2005267970.tif 000003
【図２】
2005267970.tif 000004
【図３】
2005267970.tif 000005
【図４】
2005267970.tif 000006
【図５】
2005267970.tif 000007
【図６】
2005267970.tif 000008
【図７】
2005267970.tif 000009
【図８】
2005267970.tif 000010
【図９】
2005267970.tif 000011
【図１０】
2005267970.tif 000012
【図１１】
2005267970.tif 000013
【手続補正書】
【提出日】平成16年8月20日(2004.8.20)
【手続補正１】
【補正対象書類名】明細書
【補正対象項目名】００１３
【補正方法】変更
【補正の内容】
【００１３】
図１は本発明の実施例１におけるコネクタを示している。なお、図１に示したコネクタではロック状態を示している。
【手続補正２】
【補正対象書類名】明細書
【補正対象項目名】００１６
【補正方法】変更
【補正の内容】
【００１６】
図２乃至図４は、収容部１５に設けられているロック機構を示している。なお、図２はロックが解除されている状態を示している。
【手続補正３】
【補正対象書類名】明細書
【補正対象項目名】００１９
【補正方法】変更
【補正の内容】
【００１９】
操作部２７の自由端部２７ａは、バネ部２５のＵ字部分に沿って曲げられている形状となっている。操作部２７の自由端部２７ａは、ロック状態、解除に関係なく、外部のカバー部１５ａに覆われ露出していない構造となっている。
【手続補正４】
【補正対象書類名】明細書
【補正対象項目名】００３６
【補正方法】変更
【補正の内容】
【００３６】
【図１】本発明に係るコネクタを示す平面図である。
【図２】図１に示したカバー部の一部を断面してロック機構を示した断面図である。
【図３】図１に示したカバー部の一部を断面してロック機構を示した斜視図である。
【図４】図１に示したカバー部を除いたロック機構を示す斜視図である。
【図５】図１に示したロック機構のロック状態を示す斜視図である。
【図６】図１に示したロック機構のロックが解除されている状態を示す斜視図である。
【図７】図１に示したロック機構の実施例２を示す斜視図である。
【図８】図１に示したロック機構の実施例３を示す斜視図である。
【図９】図１に示したロック機構の実施例４を示す分解斜視図である。
【図１０】図９に示したロック機構のカバー部を断面して示した斜視図である。
【図１１】図１に示したロック機構の実施例５を示す斜視図である。
【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
相手側コネクタと接続しロックするロック機構を備えているコネクタにおいて、導電性のコンタクトと、該コンタクトを保持しているインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタと係合する係合方向に常時付勢している略Ｕ字状のバネ部と、該バネ部と同一方向に延設されて前記ロック部の解除を行う操作部とを有し、前記収容部は前記バネ部と前記操作部の少なくとも一部を覆うカバー部と、前記収容部の壁面である当接部とを有し、前記操作部は前記操作部を操作し前記ロック部の解除を行う際に前記当接部に当接する被当接部を有していることを特徴とするコネクタ。
【請求項２】
請求項１記載のコネクタにおいて、前記ロック機構は前記収容部に設けた回転軸と、前記回転軸と係合するように前記本体部に設けた軸部とをさらに有し、前記ロック機構を前記収容部に収容することによって前記回転軸と前記軸部とが係合しており、前記ロック機構が前記インシュレータに回転自在に保持さていることを特徴とするコネクタ。
【請求項３】
請求項１記載のコネクタにおいて、導電性のシェルをさらに有し、前記ロック機構は、該シェルに設けた回転軸と、前記回転軸と係合するように前記本体部に設けた軸部とを有し、前記シェルを前記インシュレータに組み立てた状態で前記回転軸と前記軸部とが係合しており、前記ロック機構が前記インシュレータに回転自在に保持されていることを特徴とするコネクタ。
【手続補正２】
【補正対象書類名】明細書
【補正対象項目名】０００７
【補正方法】変更
【補正の内容】
【０００７】
本発明は、相手側コネクタと接続しロックするロック機構を備えているコネクタにおいて、導電性のコンタクトと、該コンタクトを保持しているインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタと係合する係合方向に常時付勢している略Ｕ字状のバネ部と、該バネ部と同一方向に延設されて前記ロック部の解除を行う操作部とを有し、前記収容部は前記バネ部と前記操作部の少なくとも一部を覆うカバー部と、前記収容部の壁面である当接部とを有し、前記操作部は前記操作部を操作し前記ロック部の解除を行う際に前記当接部に当接する被当接部を有していることを特徴とすることを最も主要な特徴とする。
【手続補正３】
【補正対象書類名】明細書
【補正対象項目名】００１２
【補正方法】変更
【補正の内容】
【００１２】
本発明では、相手側コネクタと接続しロックするロック機構を備えているコネクタにおいて、導電性のコンタクトと、該コンタクトを保持しているインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタと係合する係合方向に常時付勢している略Ｕ字状のバネ部と、該バネ部と同一方向に延設されて前記ロック部の解除を行う操作部とを有し、前記収容部は前記バネ部と前記操作部の少なくとも一部を覆うカバー部と、前記収容部の壁面である当接部とを有し、前記操作部は前記操作部を操作し前記ロック部の解除を行う際に前記当接部に当接する被当接部を有していることによりコネクタを実現した。
【手続補正４】
【補正対象書類名】明細書
【補正対象項目名】００２２
【補正方法】変更
【補正の内容】
【００２２】
また、インシュレータ１３は、上下、接続方向の３方向を覆い操作部２７の操作方向以外の外力から保護する形状となっている。収容部１５は、バネ部２５と操作部２７の少なくとも一部を覆うカバー部１５ａと、収容部１５の壁面である当接部１５ｂとを有している。操作部２７の自由端部２７ａにおける先端は、操作部２７を操作し前記ロック部の解除を行う際に当接部１５ｂに当接する被当接部２７ｃとなっている。
【手続補正書】
【提出日】平成17年4月21日(2005.4.21)
【手続補正１】
【補正対象書類名】特許請求の範囲
【補正対象項目名】全文
【補正方法】変更
【補正の内容】
【特許請求の範囲】
【請求項１】
相手側コネクタと接続しロックするロック機構を備えているコネクタにおいて、
導電性のコンタクトと、該コンタクトを保持しているインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタと係合する係合方向に常時付勢している略Ｕ字状のバネ部と、該バネ部と同一方向に延設されて前記ロック部の解除を行う操作部とを有し、前記収容部は前記バネ部及び前記操作部の少なくとも一部を覆うカバー部を有し、前記収容部の壁面は、前記ロック部の解除を行う際に前記操作部の自由端部の先端である被当接部が当接する当接部と、前記バネ部の自由端部が接触する部分とを有することを特徴とするコネクタ。
【請求項２】
請求項１記載のコネクタにおいて、前記ロック機構は前記収容部に設けた回転軸と、前記回転軸と係合するように前記本体部に設けた軸部とをさらに有し、前記ロック機構を前記収容部に収容することによって前記回転軸と前記軸部とが係合しており、前記ロック機構が前記インシュレータに回転自在に保持されていることを特徴とするコネクタ。
【請求項３】
請求項１記載のコネクタにおいて、導電性のシェルをさらに有し、前記ロック機構は、該シェルに設けた回転軸と、前記回転軸と係合するように前記本体部に設けた軸部とを有し、前記シェルを前記インシュレータに組み立てた状態で前記回転軸と前記軸部とが係合しており、前記ロック機構が前記インシュレータに回転自在に保持されていることを特徴とするコネクタ。
【手続補正２】
【補正対象書類名】明細書
【補正対象項目名】０００７
【補正方法】変更
【補正の内容】
【０００７】
本発明は、相手側コネクタと接続しロックするロック機構を備えているコネクタにおいて、導電性のコンタクトと、該コンタクトを保持しているインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタと係合する係合方向に常時付勢している略Ｕ字状のバネ部と、該バネ部と同一方向に延設されて前記ロック部の解除を行う操作部とを有し、前記収容部は前記バネ部及び前記操作部の少なくとも一部を覆うカバー部を有し、前記収容部の壁面は、前記ロック部の解除を行う際に前記操作部の自由端部の先端である被当接部と当接する当接部と、前記バネ部の自由端部が接触する部分とを有しているコネクタであること最も主要な特徴とする。
【手続補正３】
【補正対象書類名】明細書
【補正対象項目名】００１２
【補正方法】変更
【補正の内容】
【００１２】
本発明では、相手側コネクタと接続しロックするロック機構を備えているコネクタにおいて、導電性のコンタクトと、該コンタクトを保持しているインシュレータとを有し、該インシュレータは、ロック機構を収容した収容部を有し、前記ロック機構は、本体部と、該本体部の一方から延設しているロック部と、前記本体部の他方から延設され前記ロック部を前記相手側コネクタと係合する係合方向に常時付勢している略Ｕ字状のバネ部と、該バネ部と同一方向に延設されて前記ロック部の解除を行う操作部とを有し、前記収容部は前記バネ部及び前記操作部の少なくとも一部を覆うカバー部を有し、前記収容部の壁面は、前記ロック部の解除を行う際に前記操作部の自由端部の先端である被当接部と当接する当接部と、前記バネ部の自由端部が接触する部分とを有していることによりコネクタを実現した。
【手続補正４】
【補正対象書類名】明細書
【補正対象項目名】００２２
【補正方法】変更
【補正の内容】
【００２２】
また、インシュレータ１３は、上下、接続方向の３方向を覆い操作部２７の操作方向以外の外力から保護する形状となっている。収容部１５は、バネ部２５と操作部２７の少なくとも一部を覆うカバー部１５ａを有している。収容部１５の壁面は、ロック部２３の解除を行う際に操作部２７の自由端部２７ａの先端である被当接部２７ｃと当接する当接部１５ｂと、バネ部２５の自由端部２５ａが接触する部分１５ｃとを有する。
【手続補正５】
【補正対象書類名】図面
【補正対象項目名】図２
【補正方法】変更
【補正の内容】
【図２】
2005267970.tif 000014
【手続補正６】
【補正対象書類名】図面
【補正対象項目名】図３
【補正方法】変更
【補正の内容】
【図３】
2005267970.tif 000015
【手続補正７】
【補正対象書類名】図面
【補正対象項目名】図４
【補正方法】変更
【補正の内容】
【図４】
2005267970.tif 000016
【手続補正８】
【補正対象書類名】図面
【補正対象項目名】図７
【補正方法】変更
【補正の内容】
【図７】
2005267970.tif 000017
【手続補正９】
【補正対象書類名】図面
【補正対象項目名】図１０
【補正方法】変更
【補正の内容】
【図１０】
2005267970.tif 000018